(57)【特許請求の範囲】
【請求項１】
角に丸みを有する窓の取付構造であって、
外壁面材の窓用切り欠き部に配設された弾性材からなる窓ガラス取付部材と、内装面材の窓用切り欠き部の周縁部に配設された係止部材とを備え、
前記窓ガラス取付部材が、外壁面材の窓用切り欠き部に設けられた係止用突起と係合する外周溝と、窓ガラスが嵌め込まれる内周溝と、窓額縁の一端が係止される内側に設けられた係止溝とを有し、
前記係止部材が、窓額縁の他端が係止される係止溝を有し、
窓ガラスが前記内周溝に嵌め込まれ、
窓額縁の一端が前記窓ガラス取付部材の係止溝に係止され、他端が前記係止部材の係止溝に係止されてなる
ことを特徴とする窓取付構造。
【請求項２】
前記係止用突起が補強材により被覆されてなることを特徴とする請求項１記載の窓取付構造。
【請求項３】
角に丸みを有する窓の取付構造であって、
外壁面材の窓用切り欠き部に配設された弾性材からなる窓ガラス取付部材と、内装面材の窓用切り欠き部の周縁部に配設された係止部材とを備え、
前記窓ガラス取付部材が、外壁面材の窓用切り欠き部に設けられた係止用凹部と係合する外周突出部と、窓ガラスが嵌め込まれる内周溝と、窓額縁の一端が係止される内側に設けられた係止溝とを有し、
前記係止部材が、窓額縁の他端が係止される係止溝を有し、
窓ガラスが前記内周溝に嵌め込まれ、
窓額縁の一端が前記窓ガラス取付部材の係止溝に係止され、他端が前記係止部材の係止溝に係止されてなる
ことを特徴とする窓取付構造。
【請求項４】
前記係止用凹部が補強材により被覆されてなることを特徴とする請求項３記載の窓取付構造。
【発明の詳細な説明】
【０００１】
【発明の属する技術分野】
本発明は窓取付構造に関する。さらに詳しくは、丸型窓のように角に丸みを有する窓の取付けに適する窓取付構造に関する。
【０００２】
【従来の技術】
従来より、プレハブ住宅の外壁の丸型窓の取付は、図６に示すように、外壁の窓取付部に取付けられたアルミ押出型材を円型に曲げて成型した丸窓枠ａを用いてなされている。
【０００３】
しかるに、この丸窓枠ａを用いた丸窓の取付は、アルミ押出型材からなる丸窓枠ａを外壁下地材ｂにビス留めで固定し、このビス留めされた丸窓枠ａの窓固定リブｃに丸型窓ガラスｄをガスケットｅを挾み込んだ状態で押し付けて、この窓固定リブｃにガスケットｅを挾み込んだ状態で押し付けられている丸型窓ガラスｄに、アングル材ｆの背を同様に、ガスケットｇを挾み込んだ状態で押し付けることにより裏当てし、この裏当てしているアングル材ｆを丸窓枠ａにビス留めし、丸窓枠ａと内装面材ｈとの間に円筒形になるように幕板ｉを取付け、そして幕板ｉの端部に軟質材からなる見切材ｊを内装面材ｈに至るように取付けることによりなされている。
【０００４】
なお、図６において符号ｋはシーリング剤、ｍは断熱材を示す。
【０００５】
しかしながら、前記構成においては丸窓枠ａをアルミ押出型材を曲げ加工により得ているが、この曲げ加工が難しいためにコスト高を招来している。また、その構成が複雑であるところから部品点数も多くなり、その結果施工が煩雑になるとともに、それに伴い施工コストの上昇も招来している。
【０００６】
【発明が解決しようとする課題】
本発明はかかる従来技術の課題に鑑みなされたものであって、丸型窓のように角に丸みを有する窓の取付けに適する窓取付構造を提供することを目的としている。
【０００７】
【課題を解決するための手段】
本発明の第１形態の窓取付構造は、角に丸みを有する窓の取付構造であって、
外壁面材の窓用切り欠き部に配設された弾性材からなる窓ガラス取付部材と、内装面材の窓用切り欠き部の周縁部に配設された係止部材とを備え、
前記窓ガラス取付部材が、外壁面材の窓用切り欠き部に設けられた係止用突起と係合する外周溝と、窓ガラスが嵌め込まれる内周溝と、窓額縁の一端が係止される内側に設けられた係止溝とを有し、
前記係止部材が、窓額縁の他端が係止される係止溝を有し、
窓ガラスが前記内周溝に嵌め込まれ、
窓額縁の一端が前記窓ガラス取付部材の係止溝に係止され、他端が前記係止部材の係止溝に係止されてなる
ことを特徴とする。
【０００８】
本発明の第１形態の窓取付構造においては、前記係止用突起が補強材により被覆されてなるのが好ましい。
【０００９】
本発明の第２形態の窓取付構造は、角に丸みを有する窓の取付構造であって、
外壁面材の窓用切り欠き部に配設された弾性材からなる窓ガラス取付部材と、内装面材の窓用切り欠き部の周縁部に配設された係止部材とを備え、
前記窓ガラス取付部材が、外壁面材の窓用切り欠き部に設けられた係止用凹部と係合する外周突出部と、窓ガラスが嵌め込まれる内周溝と、窓額縁の一端が係止される内側に設けられた係止溝とを有し、
前記係止部材が、窓額縁の他端が係止される係止溝を有し、
窓ガラスが前記内周溝に嵌め込まれ、
窓額縁の一端が前記窓ガラス取付部材の係止溝に係止され、他端が前記係止部材の係止溝に係止されてなる
ことを特徴とする。
【００１０】
本発明の第２形態の窓取付構造においては、前記係止用凹部が補強材により被覆されてなるのが好ましい。
【００１１】
【作用】
本発明の窓取付構造は、前記のごとく構成されているので、外壁面材の窓取付部に設けられた突出部あるいは凹部材に窓ガラス取付部材を取付けた後、この窓ガラス取付部材の窓ガラス取付部に窓ガラスを嵌め込むだけで窓の取付けが完了する。そのため、施工が著しく簡素化される。また、その構成も簡素化されているので、製造コストも低減される。
【００１２】
【発明の実施の形態】
以下、添付図面を参照しながら本発明を実施の形態に基づいて説明するが、本発明はかかる実施の形態のみに限定されるものではない。
【００１３】
本発明の一実施の形態の窓取付構造Ｓが適用されている外壁パネルＰの概略図を図１に、また図１のII-II線断面図を図２示す。この窓取付構造Ｓは、図２に示すように、外壁パネルＰを丸型窓１に対応させて切り欠くとともに、その個所の外壁面材２の切欠き部内面２ａ中央に中心に向けて係止用突起３を全周にわたって設け、この係止用突起３を所定の弾性を有する弾性材、例えば合成ゴムからなる窓ガラス取付部材４、例えばＨ型ジッパーガスケットの外周全周にわたって形成されている外周溝４ａに嵌め込み、さらにこの窓ガラス取付部材４の内周全周にわたって形成されている内周溝４ｂに丸型ガラス５が嵌め込まれてなるものである。
【００１４】
また、この窓取付構造Ｓでは窓取付部における外壁面材２と内装面材６との仕舞は、一端７ａが窓ガラス取付部材４の内側適宜位置に形成された係止溝４ｃに係止され、他端７ｂが内装面材６の周縁部に配設された係止部材８の内周に形成された係止溝８ａに係止された窓額縁７によりなされる。この窓額縁７は、例えば一体成型された合成樹脂からなるものとされ、そして外壁面材２から内装面材６へ差し渡される部分が硬質材とされる一方、他端７ｂと係止部材８との間は軟質材とされる。また、係止部材８の内装面材６への取付は、例えば粘着テープによりなされる。
【００１５】
なお、図２において符号９は外装面材取付下地を示し、Ｉは断熱材を示す。
【００１６】
このように、この実施の形態によれば、丸型ガラス５を窓ガラス取付部材４に嵌め込み、ついで一体化された窓額縁７の両端を窓取付部の室内側に設けられた溝に嵌め込むという簡単な作業により丸型窓の取付けがなされるので、作業能率が向上するとともに施工期間が短縮される。また、その構成が簡素化されているので、製造コストも低減される。さらに、何らかの原因により窓ガラスが破損した場合にも、破損したガラスを取り除いた後、新たな窓ガラスを嵌め込むという簡単な作業によりその交換がなし得るので、メンテナンス性に優れている。
【００１７】
以上、本発明を実施の形態に基づいて説明してきたが、本発明はかかる実施の形態のみに限定されるものではなく、種々改変が可能である。例えば、本実施の形態では、窓ガラス取付部材は直接外壁面材に取付けるようにされているが、図３に示すように、窓取付部の外壁面材を、例えば合成樹脂からなる補強材により被覆した後、窓ガラス取付部材を取付けるようにしてもよく、あるいは図４に示すように、外壁面材の窓取付部内面に凹部を形成するとともに、窓ガラス取付部材の対応する個所に突出部を形成するようにしてもよい。この場合も、前記凹部が被覆されて補強されてもよい。さらに、この実施の形態では、窓は丸型窓とされているが、楕円型窓とされてもよく、あるいは図５に示すように、角部に丸みが形成されている四角形の窓とされてもよい。
【００１８】
【発明の効果】
以上詳述したように、本発明によれば、丸型ガラスや角部に丸みが形成された窓ガラスを窓ガラス取付部材に嵌め込み、ついで一体化された窓額縁を窓取付部の内側に設けられた溝に嵌め込むという簡単な作業により丸型窓などの取付けがなされるので、作業能率が向上するとともに施工期間が短縮されるという優れた効果が得られる。また、その構成が簡素化されているので、製造コストも低減されるという効果も得られる。さらに、何らかの原因により窓ガラスが破損した場合にも、破損したガラスを取り除いた後、新たな窓ガラスを嵌め込むという簡単な作業によりその交換がなし得るので、メンテナンス性に優れているという効果も得られる。
【図面の簡単な説明】
【図１】本発明の一実施の形態の丸型窓が設けられている外壁パネルの概略図である。
【図２】図１のII-II線断面図である。
【図３】本発明の他の実施の形態の図２相当図である。
【図４】本発明の他の実施の形態の図２相当図である。
【図５】本発明のさらに他の実施の形態の概略図である。
【図６】従来の窓取付構造の図２相当図である。
【符号の説明】
１        丸型窓
２        外壁面材
３        係止用突起
４        窓ガラス取付部材
５        丸型ガラス
６        内装面材
７        窓額縁
８        係止部材
Ｓ        窓取付構造
Ｐ        外壁パネル
【図１】
0003785477.tif 000002
【図２】
0003785477.tif 000003
【図３】
0003785477.tif 000004
【図４】
0003785477.tif 000005
【図５】
0003785477.tif 000006
【図６】
0003785477.tif 000007